(57)【要約】【課題】噴出ボタンを見れば、噴出ボタンからの噴出方向がすぐに判るようにし、その噴出ボタンを使用する噴出装置の使い勝手を向上する。【解決手段】噴出装置１２には、中心から上向きにステムが伸びており、そのステムの先端に噴出ボタン１４が取り付けられている。噴出ボタン１４は、下面に向けてステム嵌合穴が形成され、周面に噴出口１５が形成され、また内部にステム嵌合穴からその噴出口へと通ずる噴出通路が形成されており、横断面が、噴出口１５位置を示す矢印形状である。すなわち、噴出ボタン１４は、外形が、噴出ボタンからの噴出方向を示す矢印型の立体形状となっている。【選択図】図１
2010047295.tif 000002
【特許請求の範囲】
【請求項１】
周面に噴出口が、内部にその噴出口へと通ずる噴出通路が形成されている噴出装置の噴出ボタンにおいて、
外形が、前記噴出口位置を示す形状に形成されていることを特徴とする噴出装置の噴出ボタン。
【請求項２】
周面に噴出口が、内部にその噴出口へと通ずる噴出通路が形成されている噴出装置の噴出ボタンにおいて、
前記噴出口位置の背面に、指先挿入部が形成されていることを特徴とする噴出装置の噴出ボタン。
【請求項３】
周面に噴出口が、内部にその噴出口へと通ずる噴出通路が形成されている噴出装置の噴出ボタンにおいて、
二色成形を行い、前記噴出口位置を示す表示が発光性材料を用いて表面に形成されていることを特徴とする噴出装置の噴出ボタン。
【請求項４】
周面に噴出口が、内部にその噴出口へと通ずる噴出通路が形成されている噴出装置の噴出ボタンにおいて、
二色成形を用いて、前記噴出口を有する部分が他の部分と識別して形成されていることを特徴とする噴出装置の噴出ボタン。
【請求項５】
前記噴出口位置が、発光性材料により他の部分と識別して形成されていることを特徴とする、請求項４に記載の噴出装置の噴出ボタン。
【請求項６】
請求項１ないし５のいずれか１に記載の噴出ボタンが取り付けられていることを特徴とする噴出装置。
【請求項７】
ネジキャップをねじ付けて容器の口部に取り付けられ、噴出ボタンを操作してステムを押し込むことにより、容器の内容物が前記ステムを通して前記噴出ボタンの噴出通路に導かれ、その噴出ボタンの噴出口から外部に向けて噴出される噴出装置において、
前記噴出ボタンが、前記ネジキャップのボタン挿通孔にはまり込んで回転不能に保持されていることを特徴とする噴出装置。
【請求項８】
請求項６または７に記載の噴出装置が容器の口部に取り付けられ、前記噴出ボタンが操作されることにより、容器の内容物がいったんポンプ室に汲み上げられ、その汲み上げた内容物が前記噴出ボタンの噴出口から外部に向けて噴出されることを特徴とするポンプ式噴出器。
【請求項９】
請求項６または７に記載の噴出装置が容器の口部に取り付けられ、前記噴出ボタンが操作されることにより、弾性弁が開かれて、容器の内容物が噴出剤の圧力により前記噴出ボタンの噴出口から外部に向けて噴出されることを特徴とするエアゾール式噴出器。
【請求項１０】
請求項６または７に記載の噴出装置が容器の口部に取り付けられ、容器を押しつぶすことにより、容器の内容物が前記噴出ボタンの噴出口から外部に向けて噴出されることを特徴とする押し出し式噴出器。
【発明の詳細な説明】
【技術分野】
【０００１】
この発明は、ポンプ式、エアゾール式、押し出し式の噴出器に関する。および、そのような噴出器において、容器の口部に取り付けられている噴出装置に関する。および、そのような噴出装置において、周面に噴出口が、内部にその噴出口へと通ずる噴出通路が形成されており、容器の内容物が噴出通路を通して噴出口から外部に向けて噴出される噴出装置の噴出ボタンに関する。
【背景技術】
【０００２】
従来、ポンプ式、エアゾール式、押し出し式の噴出器の中には、周面に噴出口が設けられている筒状の噴出ボタンを用いるものがある。
【特許文献１】実開昭５０−１０５０１１号公報
【特許文献２】実開平４−１２８２８６号公報
【発明の開示】
【発明が解決しようとする課題】
【０００３】
この種の噴出器にあっては、噴出ボタンの噴出口が周面のどの方向にあるか判りにくく、噴出方向を特定しにくい問題があった。特に、通常この種の噴出ボタンは軸まわりに回転可能であることから、現在噴出口がどちらの方向に向いているのか、一層判りにくく、噴出方向を定めにくい問題があった。
【０００４】
そこで、この発明の第１の目的は、噴出ボタンを見れば、噴出ボタンからの噴出方向がすぐに判るようにし、その噴出ボタンを使用する噴出装置の使い勝手を向上することにある。
【０００５】
この発明の第２の目的は、噴出ボタンからの噴出方向が判りにくくても、使用時に自動的に噴出方向が特定されるようにし、その噴出ボタンを使用する噴出装置の使い勝手を向上することにある。
【０００６】
この発明の第３の目的は、噴出ボタンの成形方法を工夫することにより、噴出口位置を示す表示を簡単に形成して、特に夜間において、噴出ボタンを見れば、噴出ボタンからの噴出方向がすぐに判るようにし、その噴出ボタンを使用する噴出装置の使い勝手を向上することにある。
【０００７】
この発明の第４の目的は、噴出ボタンの成形方法を工夫することにより、噴出口位置を示す表示を簡単に形成して、噴出ボタンを見れば、噴出口位置、すなわち噴出ボタンからの噴出方向がすぐに判るようにし、その噴出ボタンを使用する噴出装置の使い勝手を向上することにある。
【０００８】
この発明の第５の目的は、噴出ボタンの成形方法を工夫することにより、噴出口位置を示す表示を簡単に形成して、特に夜間において、噴出ボタンを見れば、噴出口位置、すなわち噴出ボタンからの噴出方向がすぐに判るようにし、その噴出ボタンを使用する噴出装置の使い勝手を向上することにある。
【０００９】
この発明の第６の目的は、噴出ボタンを見れば、噴出ボタンからの噴出方向がすぐに判るようにし、その噴出ボタンを使用する噴出装置の使い勝手を向上した噴出装置を提供することにある。
【００１０】
この発明の第７の目的は、噴出ボタンを見れば、噴出ボタンからの噴出方向がすぐに判るようにし、その噴出ボタンを使用する噴出装置の使い勝手を向上した噴出器を提供することにある。
【課題を解決するための手段】
【００１１】
そのため、請求項１に記載の発明は、周面に、容器内容物を連続流や間欠流や霧状などで噴出する噴出口が形成され、内部に、その噴出口へと通ずる噴出通路が形成されている噴出装置の噴出ボタンにおいて、外形が、噴出口位置すなわち噴出方向を示す、横断面が矢印型やスペードマーク型や三角形などの立体形状に形成されていることを特徴とする。
【００１２】
請求項２に記載の発明は、周面に、容器内容物を連続流や間欠流や霧状などで噴出する噴出口が形成され、内部に、その噴出口へと通ずる噴出通路が形成されている噴出装置の噴出ボタンにおいて、噴出口位置の背面、すなわち１８０度裏側に、使用時に噴出ボタンを操作するときに指先を掛け止めるべく指先を挿入する指先挿入部が形成されていることを特徴とする。
【００１３】
請求項３に記載の発明は、周面に、容器内容物を連続流や間欠流や霧状などで噴出する噴出口が形成され、内部に、その噴出口へと通ずる噴出通路が形成されている噴出装置の噴出ボタンにおいて、二色成形を行い、噴出口位置を示す矢印等の表示が、蛍光材料や蓄光材料などの発光性材料を用いて表面に形成されていることを特徴とする。
【００１４】
請求項４に記載の発明は、周面に、容器内容物を連続流や間欠流や霧状などで噴出する噴出口が形成され、内部に、その噴出口へと通ずる噴出通路が形成されている噴出装置の噴出ボタンにおいて、二色成形を行い、噴出口を有する部分が他の部分と、例えば色を違えて識別して形成されていることを特徴とする。
【００１５】
請求項５に記載の発明は、請求項４に記載の噴出装置の噴出ボタンにおいて、噴出口を有する部分が、蛍光材料や蓄光材料などの発光性材料により他の部分と識別して形成されていることを特徴とする。
【００１６】
請求項６に記載の発明は、請求項１ないし５のいずれか１に記載の噴出ボタンが取り付けられている噴出装置であることを特徴とする。
【００１７】
請求項７に記載の発明は、ネジキャップをねじ付けて容器の口部に取り付けられ、噴出ボタンを操作してステムを押し込むことにより、容器の内容物がステムを通して噴出ボタンの噴出通路に導かれ、その噴出ボタンの噴出口から外部に向けて連続流や間欠流や霧状などで噴出される噴出装置において、立方体や直方体や三角形体などの噴出ボタンが、ネジキャップのボタン挿通孔にはまり込んで回転不能に保持されていることを特徴とする。
【００１８】
請求項８に記載の発明は、請求項６または７に記載の噴出装置が容器の口部に取り付けられ、噴出ボタンが操作されることにより、容器の内容物がいったんポンプ室に汲み上げられ、その汲み上げた内容物が噴出ボタンの噴出口から外部に向けて連続流や間欠流や霧状などで噴出されるポンプ式噴出器であることを特徴とする。
【００１９】
請求項９に記載の発明は、請求項６または７に記載の噴出装置が容器の口部に取り付けられ、噴出ボタンが操作されることにより、弾性弁が開かれて、容器の内容物が噴出剤の圧力により噴出ボタンの噴出口から外部に向けて連続流や間欠流や霧状などで噴出されるエアゾール式噴出器であることを特徴とする。
【００２０】
請求項１０に記載の発明は、請求項６または７に記載の噴出装置が容器の口部に取り付けられ、容器を押しつぶすことにより、容器の内容物が噴出ボタンの噴出口から外部に向けて連続流や間欠流や霧状などで噴出される押し出し式噴出器であることを特徴とする。
【発明の効果】
【００２１】
請求項１に記載の発明によれば、噴出ボタンにおいて、外形が、噴出口位置を示す形状に形成されているので、噴出ボタンを見れば、噴出ボタンの外形形状から、噴出ボタンから噴出する内容物の噴出方向を容易に把握し、その噴出ボタンを使用する噴出装置の使い勝手を向上することができる。
【００２２】
請求項２に記載の発明によれば、噴出口位置の背面に、使用時に噴出ボタンを操作するときに指先を挿入する指先挿入部が形成されているので、噴出ボタンからの噴出方向が判りにくくても、使用時に指先挿入部に指先を挿入したとき、自動的に噴出方向が特定されるようにし、その噴出ボタンを使用する噴出装置の使い勝手を向上することができる。
【００２３】
請求項３に記載の発明によれば、二色成形を行い、噴出口位置を示す表示が発光性材料を用いて表面に形成されているので、噴出ボタンの成形方法を工夫することにより、噴出口位置を示す表示を簡単に形成して、特に夜間において、噴出ボタンを見れば、噴出ボタンからの噴出方向がすぐに判るようにし、その噴出ボタンを使用する噴出装置の使い勝手を向上することができる。
【００２４】
請求項４に記載の発明によれば、二色成形を行い、噴出口を有する部分が他の部分と識別して形成されているので、噴出ボタンの成形方法を工夫することにより、噴出口位置を簡単に示して、噴出ボタンを見れば、噴出口を有する部分、すなわち噴出ボタンからの噴出方向がすぐに判るようにし、その噴出ボタンを使用する噴出装置の使い勝手を向上することができる。
【００２５】
請求項５に記載の発明によれば、噴出口位置が、蛍光材料や蓄光材料などの発光性材料により他の部分と識別して形成されているので、噴出ボタンの成形方法を工夫することにより、噴出口位置を簡単に示して、特に夜間において、噴出ボタンを見れば、噴出口を有する部分、すなわち噴出ボタンからの噴出方向がすぐに判るようにし、その噴出ボタンを使用する噴出装置の使い勝手を向上することができる。
【００２６】
請求項６に記載の発明によれば、請求項１ないし５のいずれか１に記載の噴出ボタンが取り付けられている噴出装置であるので、噴出ボタンを見れば、噴出ボタンからの噴出方向がすぐに判るようにした噴出装置を提供することができる。
【００２７】
請求項７に記載の発明によれば、噴出ボタンが、ネジキャップのボタン挿通孔にはまり込んで回転不能に保持されているので、噴出ボタンが軸まわりに回転することを防止して容器に対する噴出ボタンの噴出方向を一定とし、噴出ボタンからの噴出方向がすぐに判るようにした噴出装置を提供することができる。
【００２８】
請求項８に記載の発明によれば、請求項６または７に記載の噴出装置が容器の口部に取り付けられているポンプ式噴出器であるので、噴出ボタンを見れば、噴出ボタンからの噴出方向がすぐに判るようにしたポンプ式の噴出器を提供することができる。
【００２９】
請求項９に記載の発明によれば、請求項６または７に記載の噴出装置が容器の口部に取り付けられているエアゾール式噴出器であるので、噴出ボタンを見れば、噴出ボタンからの噴出方向がすぐに判るようにしたエアゾール式の噴出器を提供することができる。
【００３０】
請求項１０に記載の発明によれば、請求項６または７に記載の噴出装置が容器の口部に取り付けられている押し出し式噴出器であるので、噴出ボタンを見れば、噴出ボタンからの噴出方向がすぐに判るようにした押し出し式の噴出器を提供することができる。
【発明を実施するための最良の形態】
【００３１】
以下、図面を参照しつつ、この発明の実施の最良形態につき説明する。
図１には、この発明の第１例である噴出ボタンを備える噴出器の上部を示す。
図中符号１０は、容器である。容器１０は、プラスチック材料でボトル形状につくられ、その口部外周に雄ネジが形成されており、この例では、内部に、内容物として化粧液が収納されている。
【００３２】
その容器１０の口部には、ポンプ式噴出装置１２が取り付けられている。噴出装置１２には、内周に雌ネジを有するネジキャップ１３が設けられ、そのネジキャップ１３を容器１０の口部に被せてネジ付けることにより、噴出装置１２が容器１０の口部に取り付けられるようになっている。
【００３３】
噴出装置１２には、図示省略するが、中心から上向きにステムが伸びており、そのステムの先端に噴出ボタン１４が取り付けられている。噴出ボタン１４は、下面に向けて不図示のステム嵌合穴が、周面に噴出口１５が、内部にステム嵌合穴からその噴出口１５へと通ずる不図示の噴出通路が形成されており、横断面が、噴出口１５位置を示す矢印形状になっている。すなわち、噴出ボタン１４は、外形が、噴出ボタン１４からの噴出方向を示す矢印型の立体形状となっている。
【００３４】
そして、噴出ボタン１４の外形形状が示す方向を被噴出対象物に向けて噴出ボタン１４が押し下げ操作されることによりステムが押し込まれて不図示のポンプが作動され、容器１０の内容物がいったんポンプ室に汲み上げられ、その汲み上げた内容物がステムを通して噴出通路に導かれ、噴出ボタン１４の噴出口１５から外部に向けて噴出され、被噴出対象物に噴き付けられるようになっている。
【００３５】
したがって、この例では、噴出ボタン１４の外形が、噴出口１５位置を示す形状に形成されているので、噴出ボタン１４を見れば、噴出ボタン１４の外形形状から、噴出ボタン１４から噴出する内容物の噴出方向を容易に把握し、その噴出ボタン１４を使用する噴出装置１２の使い勝手を向上することができる。
【００３６】
この例では、ポンプ式噴出装置１２について説明したが、エアゾール式の噴出装置であっても、同様に噴出ボタンを、噴出口位置を示す外形形状に形成することによって、同様な効果を達成することができる。また、噴出装置が容器の口部に取り付けられ、容器を押しつぶすことにより、容器の内容物が噴出ボタンの噴出口から外部に向けて噴出される押し出し式の噴出装置にあっても、同様に噴出ボタンを、噴出口位置を示す外形形状に形成することによって、同様な効果を達成することができる。
【００３７】
図２には、この発明の第２例である噴出ボタンを備える噴出器の上部を示す。
この例では、噴出ボタン１４は、横断面が、噴出ボタン１４からの噴出方向を示すスペードマーク型である立体形状となっている。そして、スペードマーク型形状の先端が、噴出ボタン１４からの容器内容物の噴出方向を示している。その他は、図１に示す例と同様であり、同一の符号を付して示す。
【００３８】
図３には、この発明の第３例である噴出ボタンを備える噴出器の上部を示す。
この例では、噴出ボタン１４は、横断面が、噴出ボタン１４からの噴出方向を示す二等辺三角形である立体形状となっている。そして、二等辺三角形状の頂点が、噴出ボタン１４からの容器内容物の噴出方向を示している。その他は、図１、２に示す例と同様であり、同一の符号を付して示す。
【００３９】
図４には、この発明の第４例である噴出ボタンを備えるポンプ式噴出器の上部断面を示す。
図示噴出器では、ボトル状の容器１０に、内容物として乾燥防止用化粧水、ガラスクリーナ等のクリーナ液、曇り止め剤などの液体を収納し、その容器１０の口部１０ａにネジキャップ１３を被せてねじ付け、噴出装置１２が取り付けられている。
【００４０】
そして、使用時は、噴出ボタン１４が押し下げ操作されることにより、噴出装置１２の、ステム１６と一体のピストン１７が押し込まれてポンプ室１８内の圧力が上昇され、吐出弁１９を開いてポンプ室１８内の液体が連通孔１７ａからピストン１７の吐出路１７ｂに入れられ、噴出ボタン１４に取り付けるノズル部材２０の噴出口１５から外部に向けて噴出される。
【００４１】
使用後は、噴出ボタン１４から手を離してピストン１７の押し込みが解除され、スプリング２１の付勢力でピストン１７が押し上げられてポンプ室１８内の圧力が低下し、吐出弁１９を閉じるとともに、ボール状の吸入弁２２を開いて容器１０内の液体がポンプ室１８内に吸い上げられる。
【００４２】
この繰り返しにより、容器１０内の液体がいったんポンプ室１８に汲み上げられてから、その汲み上げられた液体がノズル部材２０の噴出口１５から外部に向けて噴出され、例えば噴出しながら移動することにより噴出対象物の目的部位にむらなく噴き付けられるようになっている。
【００４３】
ところで、この例の噴出ボタン１４には、下面に向けてステム１６の先端が嵌合するステム嵌合部１４ａが形成され、周面には噴出口１５が形成され、また内部にはステム嵌合部１４ａから噴出口１５へと通ずる噴出通路１４ｂが形成されている。また、噴出口１５位置の背面、すなわち噴出口１５の１８０度反対側に、使用時に噴出ボタン１４を押し下げ操作するときに指先を挿入して指先を掛け止める指先挿入部１４ｃが穴状に形成されている。
【００４４】
図５には、この発明の第５例である噴出ボタンを備えるエアゾール式噴出器の上部断面を示す。
この噴出器では、噴出装置１２が、マウンテンカップ２３の巻き締め部２３ａを巻き締めて容器１０の口部１０ａに取り付けられている。そして、使用時に、噴出ボタン１４が手で押し下げ操作されることにより、噴出装置１２のステム１６が押し込まれて弾性弁２４が変形され、ステム１６の連通孔１６ａが開口されて、容器１０内の液体が、その液体とともに容器１０内に収納されている噴射剤の圧力により連通孔１６ａからステム１６の吐出路１６ｂに入れられ、噴出ボタン１４に取り付けられているノズル部材２０の噴出口１５から外部に向けて噴出される。
【００４５】
この例の噴出ボタン１４でも、下面に向けて、ステム１６の先端が嵌合するステム嵌合部１４ａが形成され、周面には噴出口１５が形成され、また内部にはステム嵌合部１４ａから噴出口１５へと通ずる噴出通路１４ｂが形成されている。また、噴出口１５位置の背面、すなわち噴出口１５の１８０度反対側に、使用時に噴出ボタン１４を押し下げ操作するときに指先を挿入して指先を掛け止める指先挿入部１４ｃが形成されている。
【００４６】
したがって、図４、５に示す例によれば、噴出口１５位置の背面に指先挿入部１４ｃが形成されているので、噴出ボタン１４からの噴出方向が判りにくくても、使用時に指先挿入部１４ｃに指先を挿入したとき、噴出方向が自動的に前方に向けられるようにし、その噴出ボタン１４を使用する噴出装置１２の使い勝手を向上することができる。
【００４７】
図６には、この発明の第６例である噴出ボタンを備える噴出器の上部を示す。
この例の噴出器では、容器１０の口部に噴出装置１２が取り付けられている。噴出装置１２には、内周に雌ネジを有するネジキャップ１３が設けられ、そのネジキャップ１３を容器１０の口部に被せてネジ付けることにより、噴出装置１２が容器１０の口部に取り付けられている。
【００４８】
噴出装置１２には、図示省略するが、中心から上向きにステムが伸びており、そのステムの先端に噴出ボタン１４が取り付けられている。噴出ボタン１４は、下面に向けて不図示のステム嵌合穴が形成され、周面には噴出口１５が形成され、また内部にはステム嵌合穴からその噴出口１５へと通ずる不図示の噴出通路が形成されている。
【００４９】
ところで、噴出ボタン１４は、二色成形を行い、噴出口１５位置を示す、例えば図示のような矢印表示２６が、夜光塗料などの発光性材料を用いて頂面に形成されている。これにより、噴出ボタン１４の成形方法を工夫することにより、噴出口１５位置を示す表示２６を簡単に形成して、噴出ボタン１４を見れば、噴出ボタン１４からの噴出方向がすぐに判るようにし、その噴出ボタン１４を使用する噴出装置１２の使い勝手を向上することができる。特にこの例では、夜間において、矢印表示２６が光り、利用価値を高めることができる。
【００５０】
図７には、この発明の第７例である噴出ボタンを備える噴出器の上部を、図８には、その噴出ボタンの一部を破断して示す。
この例の噴出器では、同じく二色成形を用い、例えば色を違えたり、蓄光剤などの発光性材料を入れたりして、噴出ボタン１４の噴出口１５を有する部分２７が、噴出ボタン１４の他の部分と識別して形成されている。
【００５１】
このようにすると、噴出ボタン１４の成形方法を工夫することにより、噴出口１５を有する部分２７を簡単に示して、噴出ボタン１４を見れば、噴出口１５を有する部分２７、すなわち噴出ボタン１４からの噴出方向がすぐに判るようにし、その噴出ボタン１４を使用する噴出装置１２の使い勝手を向上することができる。蓄光剤などの発光性材料を入れると、特に夜間における利用価値を高めることができる。
【００５２】
図９（Ａ）〜（Ｃ）には、この発明の第８例である噴出装置の噴出ボタンとネジキャップの組合わせを示す。
この例では、上述したごとく、ネジキャップ１３をねじ付けて容器１０の口部に取り付けられ、噴出ボタン１４を操作してステム１６を押し込むことにより、容器１０の内容物がステム１６を通して噴出ボタン１４の噴出通路１４ｂに導かれ、その噴出ボタン１４の噴出口１５から外部に向けて噴出される噴出装置１２において、噴出ボタン１４が、ネジキャップ１３のボタン挿通孔１３ａにはまり込んで回転不能に保持されている。
【００５３】
噴出ボタン１４が、例えば図９（Ａ）で示すような横断面が四角形の立体形状や、（Ｂ）で示すような横断面が楕円形状に近い立体形状や、（Ｃ）で示すような横断面が三角形の立体形状などに形成されて、それぞれネジキャップ１３の四角形、楕円形、三角形のボタン挿通孔１３ａにはまり込んで回転不能に保持されている。
【００５４】
このようにすると、噴出ボタン１４が軸まわりに回転することを防止して容器に対する噴出ボタンの噴出方向を一定とし、噴出ボタン１４からの噴出方向がすぐに判るようにした噴出装置を提供することができる。デザインバリエーションも増えて、奇抜さを増すこともできる。
【図面の簡単な説明】
【００５５】
【図１】この発明の第１例である噴出ボタンを備える噴出器の上部斜視図である。
【図２】この発明の第２例である噴出ボタンを備える噴出器の上部斜視図である。
【図３】この発明の第３例である噴出ボタンを備える噴出器の上部斜視図である。
【図４】この発明の第４例である噴出ボタンを備えるポンプ式噴出器の上部縦断面図である。
【図５】この発明の第５例である噴出ボタンを備えるエアゾール式噴出器の上部縦断面図である。
【図６】この発明の第６例である噴出ボタンを備える噴出器の上部斜視図である。
【図７】この発明の第７例である噴出ボタンを備える噴出器の上部斜視図である。
【図８】その噴出ボタンの部分破断図である。
【図９】（Ａ）〜（Ｃ）は、それぞれこの発明の第８例である噴出装置の噴出ボタンとネジキャップの組合わせを示す斜視図である。
【符号の説明】
【００５６】
１０    容器
１０ａ  口部
１２    噴出装置
１３    ネジキャップ
１４    噴出ボタン
１４ａ  ステム嵌合部
１４ｂ  噴出通路
１４ｃ  指先挿入部
１５    噴出口
１６    ステム
１７    ピストン
１８    ポンプ室
１９    吐出弁
２０    ノズル部材
２１    スプリング
２２    吸入弁
２３    マウンテンカップ
２４    弾性弁
２６    噴出口位置を示す表示
２７    噴出口を有する部分
【図１】
2010047295.tif 000003
【図２】
2010047295.tif 000004
【図３】
2010047295.tif 000005
【図４】
2010047295.tif 000006
【図５】
2010047295.tif 000007
【図６】
2010047295.tif 000008
【図７】
2010047295.tif 000009
【図８】
2010047295.tif 000010
【図９】
2010047295.tif 000011